(57)【特許請求の範囲】
【請求項１】
１枚物の薄板状で所定面積を有した扇面（１）の下縁中央部（１ａ）に持手となる柄（２）を下方突出状態で連続させた柄付きうちわであって、
前記扇面（１）の幅中央線（Ｎ）上における扇面（１）の下縁寄りの所定位置を折り線集中点（３）とし、
前記扇面（１）の幅中央線（Ｎ）を挟んだ左右位置に前記折り線集中点（３）から所定角度間隔をもって３本ずつの折り線（３１〜３６）をそれぞれ扇面（１）の外周縁に達する長さ範囲に形成して、合計６本の折り線（３１〜３６）で区画された６つの分割面（１１〜１６）を相互に重合状態で折畳み得るようにしており、
前記扇面（１）における柄基端部（２ａ）に連続する下部中央分割面（１２）の表裏各面に、それぞれ扇面（１）に接合する位置と柄（２）に接合する位置との範囲で折返し自在な挟持板（５，５）をそれぞれ設けており、
前記各挟持板（５，５）における長さ方向の所定位置に該各挟持板（５，５）を基部板（５ａ）と先部板（５ｂ）とに区画する折り線（５２）を設けて、該折り線（５２）部分を折り曲げることで前記基部板（５ａ）と前記先部板（５ｂ）とを２枚重ね状態で接合させ得るようにしており、
前記各挟持板（５，５）の各先部板（５ｂ，５ｂ）は、それぞれ前記折り線集中点（３）の周囲の所定面積範囲を被覆し得る面積を有しており、
前記基部板（５ａ）と前記先部板（５ｂ）とを２枚重ねにした前記各挟持板（５，５）を展張状態の扇面（１）の表裏各面に接合させた状態では、前記各先部板（５ｂ，５ｂ）が前記折り線集中点（３）の表裏各側に対面するようにしているとともに、
前記基部板（５ａ）と前記先部板（５ｂ）とを２枚重ねにした前記各挟持板（５，５）を展張状態の扇面（１）の表裏各面に接合させた状態で、前記各挟持板（５，５）の前記各先部板（５ｂ，５ｂ）を離間不能にロックするためのロック手段（６）を有している、
ことを特徴とする折畳み式柄付きうちわ。
【請求項２】
請求項１において、
前記各挟持板（５，５）における前記先部板（５ｂ）に撓み強度のある補強板（５０）を固着させている、
ことを特徴とする折畳み式柄付きうちわ。
【発明の詳細な説明】
【技術分野】
【０００１】
本願発明は、所定面積を有した扇面の下縁中央部に所定長さの柄（持手）を下方突出状態で連続させてなる柄付きうちわに関し、さらに詳しくは、不使用時には小さく折畳んで携帯できるようにした折畳み式柄付きうちわに関するものである。
【背景技術】
【０００２】
柄（持手）付きのうちわとしては、大小各サイズのものがあるが、扇面で十分な風量を送るためには該扇面の面積をかなりの大きさ（例えば縦横の各直径が２０〜２５cm程度）にする必要がある。又、扇面に柄（例えが長さが１０〜１５cm程度）を付けた物では、うちわの全体長さが３０cm超となって、携帯に不便である。
【０００３】
又、扇面に多数本の細幅骨材を放射状に配置した一般的な骨付きうちわでは、扇面が多数本の細幅骨材で補強されているので、扇いだときでも扇面の形状が比較的安定しているものの、扇面に細幅骨材があると該扇面を小さく折畳むことができないので、携帯に不便である。
【０００４】
尚、従来から、折畳み式うちわとして扇子があるが、扇子の場合は、多数の細幅分割面を順次ジグザグに折畳んでコンパクトにすることができるものの、構造が非常に複雑で且つ製作コストが高く付くという問題があるほか、柄（持手）がないので使用時に持ちにくいという難点がある。
【０００５】
ところで、本件出願人は、扇面を小さく折畳み得るようにした折畳み式柄付きうちわとして、特許文献１（特許第４８６６９２７号公報）に記載の特許を既に取得しているが、今回の本件出願は、後述するように上記特許文献１の折畳み式柄付きうちわの構成に強度面での改良を加えたものである。
【０００６】
上記特許文献１の折畳み式柄付きうちわは、図１３〜図１５に示すように、比較的「腰」のある薄板材料製（例えば厚紙製）の扇面１の下縁中央部１ａに合成樹脂製の柄２を連続させている一方、扇面１の下縁寄り所定位置に設けた折り線集中点３から所定角度間隔をもって合計６本の折り線３１〜３６をそれぞれ扇面１の外周縁に達する範囲に形成して、扇面１を合計６本の折り線（３１〜３６）で区画された６つの分割面１１〜１６に分割している。尚、６本の折り線３１〜３６は、扇面幅中央線Ｎ（図１３参照）を挟んだ左右対称位置に３本ずつ形成している。
【０００７】
又、この折畳み式柄付きうちわでは、図１３及び図１４に示すように、扇面１における下部中央分割面１２の表裏各面に、それぞれ扇面１に接合する位置と柄２に接合する位置との範囲で上下に折返し自在な挟持板５，５をそれぞれ設けている。この各挟持板５，５は、厚さが０.５〜１.０mm程度の薄板製で、図１３に示すように扇面接合側に折返した状態でそれぞれ各折り線３１〜３６の集中点（折り線集中点３）の周囲の所定面積範囲を被覆し得る面積を有している。
【０００８】
この各挟持板５，５は、展張状態の扇面１の表裏各面に接合させた状態（図１３及び図１４の実線図示状態）でロック手段６により離間（外開き）不能にロックし得るようにしている。尚、このロック手段６は、図１３に示すように、長方形状のロック片６４を横向き姿勢と縦向き姿勢（鎖線図示する符号６４’の姿勢）との間で変位させることでロック状態とロック解除状態とに変化させることができる。
【０００９】
そして、この特許文献１（図１３〜図１５）の折畳み式柄付きうちわは、使用時には、図１３及び図１４に示すように扇面１の折り線集中点３の周囲を表裏各側から各挟持板５，５で被覆しており、且つ両挟持板５，５がロック手段６で離間不能にロックされているので、各折り線３１〜３６に折り癖がついていても該各折り線３１〜３６が両挟持板５，５で被覆されている部分で折れ曲がるのを阻止できる一方、不使用時には、ロック手段６をロック解除して両挟持板５，５を下方に折返し（図１４に鎖線図示する符号５’，５’の状態）、図１５に示すように扇面１の各分割面１１〜１６を相互に重合状態で折畳むことで、うちわ全体を小さく折畳むことができる、という機能を有している。尚、扇面１を小さく折畳むには、図１３の使用状態から表裏の両挟持板５，５をそれぞれ下方に折返した状態で、各折り線３１〜３６をそれぞれ所定方向に折畳む（谷折り及び山折り）ことで、うちわ全体を図１５の状態に折畳むことができる。
【先行技術文献】
【特許文献】
【００１０】
【特許文献１】特許第４８６６９２７号公報
【発明の概要】
【発明が解決しようとする課題】
【００１１】
ところで、上記した特許文献１（図１３〜図１５）の折畳み式柄付きうちわは、使用状態では、扇面１における折り線集中点３の周囲を表裏各側から各挟持板５，５で被覆し、両挟持板５，５をロック手段６でロックすることで、両挟持板５，５で扇面１の折り線集中点３周囲を表裏各側から挟持するようになっている。
【００１２】
ところが、折り線集中点３の周囲を表裏各側から挟持している各挟持板５，５は、それぞれ１枚物の薄板材料製であるので撓み強度が比較的弱いものであり、柄２を持って扇面１を揺らした（扇いだ）ときに扇面１とともに両挟持板５，５も撓み易くなる（折り線挟持力が弱くなる）。従って、両挟持板５，５による扇面１の安定性を維持させにくくなるとともに、各折り線３１〜３６部分で折れ曲がり易くなる。つまり、使用時（扇ぐとき）に各挟持板５，５が撓むことで扇面１の形状が不安定になり易いという改善すべき点があった。
【００１３】
そこで、本願発明は、柄付きで、扇面に複数の折り線を形成して扇面をコンパクトに折畳み得るようにし、さらに扇面の折り線集中点の周囲の表裏各側にそれぞれ挟持板を設けた折畳み式柄付きうちわにおいて、挟持板の構成を改良することで使用時（柄を持って扇面を揺らしたとき）に扇面の形状をより一層安定させ得るようにすることを目的としている。
【課題を解決するための手段】
【００１４】
本願発明は、上記課題を解決するための手段として次の構成を有している。
【００１５】
［本願請求項１の発明］
本願請求項１の発明は、１枚物の薄板状で所定面積を有した扇面の下縁中央部に持手となる柄を下方突出状態で連続させた柄付きうちわを対象としている。
【００１６】
そして、本願請求項１の折畳み式柄付きうちわでは、扇面の幅中央線上における扇面の下縁寄りの所定位置を折り線集中点とし、扇面の幅中央線を挟んだ左右位置に折り線集中点から所定角度間隔をもって３本ずつの折り線をそれぞれ扇面の外周縁に達する長さ範囲に形成して、合計６本の折り線で区画された６つの分割面を相互に重合状態で折畳み得るようにしている。尚、以下の説明では、扇面の幅中央線を単に扇面幅中央線という。
【００１７】
このようにすると、各折り線（６本）により扇面幅中央線を中心にして扇面を幅方向に小さく折畳めるとともに、柄側も折り線集中点を中心にして扇面側に折り重ねることができるので、全体を非常に小さく折畳むことができる。尚、隣接する各折り線（６本）間のそれぞれの角度間隔は、扇面を幅方向に小さく折畳めるとともに、柄側も扇面側に折り重ね得るように設定されているが、具体的には以下に示す実施例のようにそれぞれ所定角度範囲内で変更可能に設定できるものである。
【００１８】
又、本願請求項１の折畳み式柄付きうちわでは、扇面における柄基端部に連続する下部中央分割面の表裏各面に、それぞれ扇面に接合する位置と柄に接合する位置との範囲で折返し自在な挟持板をそれぞれ設けている。
【００１９】
この各挟持板には、その長さ方向の所定位置に各挟持板を基部板と先部板とに区画する折り線を設けており、該各折り線部分を折返すことで基部板と先部板とを２枚重ね状態で接合させ得るようにしている。
【００２０】
又、各挟持板の各先部板は、それぞれ折り線集中点の周囲の所定面積範囲を被覆し得る面積を有している。そして、基部板と先部板とを２枚重ねにした各挟持板を展張状態の扇面の表裏各面に接合させた状態では、各先部板が折り線集中点の表裏各側に対面する位置に位置されるように設定している。
【００２１】
さらに、本願請求項１の折畳み式柄付きうちわには、前記基部板と前記先部板とを２枚重ねにした各挟持板を展張状態の扇面の表裏各面に接合させた状態で、各挟持板の各先部板を離間不能にロックするためのロック手段を有している。
【００２２】
各挟持板及びロック手段は、扇面に６本の折り線（折り癖が付いている）がある関係で、使用時（扇面が平面状に展張している）に各折り線部分が折れ曲がり易くなるのを防止するためのものであって、次のような機能を有している。
【００２３】
即ち、使用時（扇面展張状態）には、各挟持板の基部板と先部板とをそれぞれ折畳んで２枚重ね状態で接合させ、且つ各側の先部板をそれぞれ扇面の折り線集中点の周囲を被覆した状態で両先部板をロック手段で離間不能にロックしておくが、この状態では、各側の先部板で折り線集中点の周囲を表裏各側から挟持するので、各折り線（６本）に折り癖がついていても、該各折り線が両挟持板（先部板）で被覆されている部分で折り曲がるのを阻止できる。従って、各折り線部分がそれぞれ全長に亘って折れ曲がれなくなる。
【００２４】
又、この使用状態では、各挟持板の基部板と先部板とが２枚重ね状態となっているので、各挟持板（特に基部側部分）の撓み強度が１枚の状態より強くなっている。従って、扇面に対する挟持力が増すことで、扇面をより一層強固（安定状態）に支持できる。
【００２５】
本願請求項１の折畳み式柄付きうちわは、次のような機能を有している。
【００２６】
まず、使用時には、上記のように扇面を平面状に展張させ、各挟持板（先部板）を扇面の表裏各面に接合させた状態でその両挟持板をロック手段でロックしておく。そして、この使用状態では、柄を持って扇面を揺らしても各折り線が不用意に折れ曲がることがないので、柄付きうちわとして通常の安定状態で使用できる。その場合、柄を持って扇ぐことができるので使い勝手がよい。
【００２７】
他方、不使用時（携帯時）には、両挟持板のロック手段を解除すれば、扇面及び柄を折り線集中点を中心に小さく折畳むことができる（折畳み形態の詳細は後述の実施例で説明している）。この折畳み状態では、扇面が幅方向に折畳まれているとともに、柄が扇面側に折返されて重合しているので、柄付きうちわであっても左右及び上下にコンパクトになる。
【００２８】
［本願請求項２の発明］
本願請求項２の発明は、上記請求項１の折畳み式柄付きうちわにおいて、各挟持板における先部板に撓み強度がある補強板を固着させていることを特徴としている。
【００２９】
この挟持板先部板に固着させている補強板には、厚紙（例えば段ボール紙）や合成樹脂板等で、かなりの撓み強度を有した板材が使用される。そして、この補強板は、挟持板の先部板における表裏いずれかの面に接着剤で接着することによって固着させることができる。
【００３０】
このように、各挟持板の先部板に補強板を固着させていると、挟持板先部板が一層撓みにくくなるので、各挟持板による扇面の折り線集中点付近に対する保持力を増強できる。
【発明の効果】
【００３１】
［本願請求項１の発明の効果］
本願請求項１の折畳み式柄付きうちわでは、次のような効果がある。
【００３２】
（１）使用時には、扇面を平面状に展張させ、各挟持板（先部板）をそれぞれ扇面の表裏各面に接合させた状態で両挟持板（先部板）をロック手段でロックしておくと、柄を持って扇面を揺らしても各折り線が不用意に折れ曲がることがないので、柄付きうちわとして安定状態で使用できる。その場合、柄を持って扇面を揺らす（扇ぐ）ことができるので使い勝手がよい。
【００３３】
（２）各挟持板は、その長さ方向の所定位置に設けた折り線で基部板と先部板とを２枚重ね状態で接合させているので、例えば特許文献１のように１枚物の挟持板（例えば特許文献１の挟持板）より撓み強度が強くなる。従って、各挟持板による扇面への挟持力が増すことで、扇面をより一層強固に（安定状態で）支持できる。
【００３４】
（３）不使用時（携帯時）には、両挟持板（先部板）のロック手段を解除すれば、扇面及び柄を折り線集中点を中心に小さく折畳むことができるので、柄付きうちわであっても左右及び上下にそれぞれコンパクトになり、携帯時に嵩張らない（例えば衣服のポケットに収容できる）。
【００３５】
［本願請求項２の発明の効果］
本願請求項２の発明では、上記請求項１の折畳み式柄付きうちわにおいて、各挟持板における先部板に撓み強度がある補強板を固着させているので、扇面に接する挟持板先部板が一層撓みにくくなる。
【００３６】
従って、この請求項２の折畳み式柄付きうちわでは、各補強板で扇面の折り線集中点付近を被覆する挟持板先部板を補強できるので、上記請求項１の効果に加えて、扇面をより一層安定状態で支持できるという効果がある。
【図面の簡単な説明】
【００３７】
【図１】本願実施例の折畳み式柄付きうちわの展張状態を示す平面図である。
【図２】図１の折畳み式柄付きうちわのＡ−Ａ断面図である。
【図３】図２のＢ部拡大図である。
【図４】図１の折畳み式柄付きうちわを構成している各部材（扇面と柄と挟持板）を分解した状態でのそれぞれの平面図である。
【図５】図４の挟持板におけるＣ−Ｃ部分の拡大断面図である。
【図６】図４の挟持板におけるＤ−Ｄ部分の拡大断面図である。
【図７】図４の柄におけるＥ−Ｅ拡大断面図である。
【図８】図４の扇面におけるＦ−Ｆ拡大断面図である。
【図９】図１の折畳み式柄付きうちわの折畳み工程の第１段階説明図である。
【図１０】図１の折畳み式柄付きうちわの折畳み工程の第２段階説明図である。
【図１１】図１の折畳み式柄付きうちわの最終折畳み状態を示す平面図である。
【図１２】図１１の折畳み状態のうちわを下面側から見た拡大図である。
【図１３】公知（特許文献１）の折畳み式柄付きうちわの展張状態を示す平面図である。
【図１４】図１３の折畳み式柄付きうちわのＧ−Ｇ断面図である。
【図１５】図１３の折畳み式柄付きうちわの最終折畳み状態を示す平面図である。
【発明を実施するための形態】
【００３８】
添付の図１〜図１２を参照して、本願実施例の折畳み式柄付きうちわを説明する。
【００３９】
図１及び図２には、この実施例の折畳み式柄付きうちわの展張状態（使用可能状態）を示しているが、この折畳み式柄付きうちわは、１枚物の薄板材料製で略円形状の扇面１と、該扇面１の下縁中央部１ａに下向き突出状態で連続させた柄２と、後述するように扇面１の折り線集中点３の周囲の所定面積範囲を表裏各側から被覆し得る２枚の挟持板５，５と、両挟持板５，５の先部板（詳細は後述する）を扇面接合状態で離間不能にロックするためのロック手段６とを有して構成されている。
【００４０】
図４には、この折畳み式柄付きうちわにおける、扇面１と、柄２と、両挟持板５，５を一連に設け且つロック手段６を予め取付けた状態の挟持板基材４とをそれぞれ分離状態で示しているが、まずこれらの部材（扇面１、柄２、挟持板基材４）の詳細について説明する。
【００４１】
扇面１の材料としては、厚紙や合成樹脂シートのような比較的「腰」のある１枚物の薄板材料が使用されるが、この実施例では折畳み可能な厚さ（例えば０.５〜１mm程度の厚さ）の厚紙が使用されている。
【００４２】
柄付きうちわの扇面１としての大きさは、一般的に縦横の各直径が２０〜２５cm程度のものが多く、本願実施例でも扇面１として一般的な大きさ（特に限定するものではないが、縦長さが約２１cm程度で横長さが約２４cm程度の大きさ）のものを使用している。
【００４３】
扇面１には、図１、図４及び図９に示すように、扇面幅中央線Ｎ上における扇面１の下縁寄りの所定位置を折り線集中点３とし、扇面１の扇面幅中央線Ｎを挟んで左右位置に該折り線集中点３から所定角度間隔をもって３本ずつ（合計６本）の折り線３１〜３６をそれぞれ扇面１の外周縁に達する長さ範囲に形成して、扇面１を各折り線３１〜３６で合計６つの分割面１１〜１６に区画している。
【００４４】
折り線集中点３の位置は、図１及び図９に示すように、扇面１の上縁中央部１ｂから扇面の下縁中央部１ａに接続される柄２の先端部２ｂまでの長さＬの略１／２の位置に設定している。この場合、折り線集中点３から扇面１の上縁中央部１ｂまでの距離と、折り線集中点３から柄２の先端部２ｂまでの距離とが同等（長さＭずつで、Ｍ＝約１６cm）になる。
【００４５】
６本の折り線３１〜３６における隣接する２本の折り線間のそれぞれの角度間隔は、折り線集中点３を中心にして扇面１を幅方向及び上下方向に折畳み得るものであればよいが、この実施例ではそれぞれ次に示す角度間隔（図４の扇面１における符号ａ〜ｆの各角度）に設定している。
【００４６】
即ち、図４の扇面１に示すように、折り線集中点３より上側に位置する４本の折り線３１〜３４においては、隣接する２本の折り線（３１と３２、３１と３３、３２と３４）の各角度（ａ，ｂ，ｃ）がそれぞれ３６°であり、符号３３の折り線と符号３５の折り線との角度ｄ、及び符号３４の折り線と符号３６の折り線との角度ｅがそれぞれ７２°であり、残りの符号３５の折り線と符号３６の折り線との角度ｆが１０８°である。この場合、符号３３の折り線と符号３６の折り線、及び符号３４の折り線と符号３５の折り線とが、それぞれ一直線状になる。
【００４７】
尚、この実施例で設定した隣接する２本の折り線間の上記各角度（ａ〜ｆ）は、特に限定するものではなく、上記符号ａ〜ｃの各角度（３６°）を例えば３０°〜４０°程度の範囲に変更しても（この場合は符号ｄ〜ｆの各角度も変更される）、この柄付きうちわを折畳むのに支障はない。
【００４８】
６本の各折り線３１〜３６の折り方向（山折りか谷折りか）は、図１及び図４の状態を表面側にした場合に、符号３１と符号３４の２本の折り線が山折り線で、符号３２，３３，３５，３６の４本の折り線が谷折り線である。そして、この各折り線３１〜３６は、それぞれ所定の折り側に折り癖がつけられている。
【００４９】
上記の各折り線３１〜３６は、扇面１の扇面幅中央線Ｎを挟んで左右位置に３本ずつ設けているが、この実施例では、左右３本ずつの折り線は、上記扇面幅中央線Ｎを挟んだ左右対象位置に設けている。このように、左右３本ずつの折り線を扇面幅中央線Ｎを挟んだ左右対象位置に設けていると、この柄付きうちわを小さく折畳んだときに、図１１に示すように外形が左右対称形になるので見映えがよくなる。
【００５０】
扇面１の折り線集中点３部分には、図４に示すように、ロック手段６（後述する台部６２とロック片６３）を貫通させるための長方形状の挿通穴１７が形成されている。この挿通穴１７は、図８（図４のＦ−Ｆ拡大断面図）に示すように、ロック手段６を挿脱自在に挿通させ得る大きさを有している。
【００５１】
柄２は、合成樹脂材料で成型したものである。柄付きうちわにおける柄２の長さは、一般的に１０〜１５cm程度のものが多く、本願実施例でも柄２の長さとして一般的な範囲のものを使用できる。因に、この実施例では、柄２の長さとして、扇面１の下端縁１ａからの下方突出長さが約１１cmとなるように設定している。
【００５２】
柄２の上部２ａは、特許請求の範囲中の柄基端部となるものである。そして、この柄の上部２ａには、図３及び図７に示すように、扇面１の下縁部及び挟持板基材４の折返し部（後述する）を保持させるための所定深さの縦溝２１が形成されている。この縦溝２１は、表裏２枚の挟持片２２，２２の間に形成されていて、該縦溝２１内に扇面１の下縁部及び挟持板基材４の折返し部を差込むことで、扇面１（及び挟持板基材４の折返し部）の下部に柄２の上部２ａを結合させることができる。
【００５３】
各挟持板５，５は、この実施例では、図４に示すように１枚物の挟持板基材４の両側に対称状態で設けているが、この挟持板基材４について説明する。
【００５４】
この挟持板基材４には、厚さが０.５〜１mm程度で比較的「腰」のある厚紙が使用されている。この挟持板基材４は、図４に示すように、２つの挟持板５，５を上下対称形に位置させた状態で該各挟持板５，５をやや細幅（幅が３〜４cm程度）の連結部４１で一体に連結して構成されている。
【００５５】
各挟持板５，５は、それぞれ連結部４１の一端に折り線４３を介して連続する台形状の基部板５ａと、該基部板５ａに連続する四角形状の先部板５ｂとを有している。各挟持板５，５の基部板５ａと先部板５ｂとの間には、該基部板５ａと先部板５ｂとを２枚重ね状態で折畳むための折り線５２が形成されている。
【００５６】
各挟持板５，５の先部板５ｂは、略四角形状で、一辺が約１０cm程度の大きさを有している。そして、この各挟持板５，５の各先部板５ｂ，５ｂは、図１〜図３に示すように、扇面１の外面にあてがった状態で、上記折り線集中点３の周囲の所定面積範囲を被覆し得る面積を有している。
【００５７】
挟持板基材４の連結部４１の長さ方向中間部には、図４に示すように、折り線４２が形成されている。そして、この折り線４２を谷折りすることで、図３に示すように連結部４１を２つ折り状態に折り重ねることができるようになっている。
【００５８】
尚、この実施例では、各挟持板５，５を１枚物の挟持板基材４に一体的に設けているが、他の実施例では、各挟持板５，５を連結部４１の折り線４２部分で切り離した２枚のパーツで形成することもできる。
【００５９】
各挟持板５，５の各先部板５ｂ，５ｂには、それぞれかなりの撓み強度がある補強板５０，５０を固着させている。この各補強板５０，５０は、挟持板５の先部板５ｂと同形・同大きさの略四角形状で、厚紙や合成樹脂板等からなる適度の撓み強度を有した板材が使用できる。尚、この実施例では、補強板５０として段ボール紙を用いている。
【００６０】
この各補強板５０，５０は、各挟持板５，５の先部板５ｂにおける表裏いずれかの面に固着させればよいが、この実施例では、図１〜図３に示すように使用状態で挟持板先部板５ｂにおける扇面１に対面する側に接着剤を用いて接着させている。このように、この実施例の折畳み式柄付きうちわでは、補強板５０付きの挟持板５として使用している。
【００６１】
ロック手段６は、一方（図４の上側）の挟持板５に設けたロック部材６１と、他方（図４の下側）の挟持板５に設けたロック受材６５とを有している。
【００６２】
ロック部材６１は、図４及び図５（図４のＣ−Ｃ拡大断面図）に示すように、一方の挟持板５（先部板５ｂ）のほぼ中央部に固定した楕円形の固定板６２に長方形状の台座６３を設け、さらに該台座６３に対して同じく長方形状のロック片６４を回転自在に軸着させたものである。尚、各補強板５０，５０のほぼ中央部付近には、図３、図５、図６に示すように、それぞれロック部材６１を挿通させるための穴５１，５１が形成されている。
【００６３】
ロック受材６５は、図４及び図６（図４のＤ−Ｄ拡大断面図）に示すように、他方の挟持板５（先部板５ｂ）のほぼ中央部に固定した楕円形の固定板６６に、ロック部材６１を挿通させ得るとともにロック片６４を係脱自在に係止させ得る長方形状の開口６７を設けたものである。
【００６４】
ロック部材６１のロック片６４（長方形状）は、台座６３と同じ横向き状態（図５に符号６４で示す実線図示状態）では扇面１の挿通穴１７（図８）及びロック受材６５の開口６７（図６）に対してそれぞれ挿通可能である一方、台座６３に対して直交する縦向き状態（図５に符号６４’で示す鎖線図示状態）に回動させると、該ロック片６４’の両端部をロック受材６５の開口６７の口縁に係止できる（ロックできる）ようになっている。尚、このロック片６４は、図１及び図３において、実線図示する縦向き姿勢がロック状態で、横向き姿勢（図１、図３の符号６４’）にするとロック解除状態となる。
【００６５】
そして、このロック手段６は、図３に拡大図示するように、各挟持板５，５の基部板５ａと先部板５ｂを２つ折りし、各側の先部板５ｂ，５ｂを各補強板５０，５０とともに扇面１の表裏各面にあてがった状態で、両先部板５ｂ，５ｂを表裏各側から挟圧する機能をもつもので、その使用形態については後で詳述する。
【００６６】
図４に示す３つの部材（扇面１、柄２、挟持板基材４）は、次のように組み立てることで図１〜図３に示す使用形態の柄付きうちわに完成させることができる。
【００６７】
まず、図４の挟持板基材４の連結部４１を折り線４２で谷折りして該連結部４１を２つ折りし、その連結部４１の２つ折り部分で扇面１の下縁中央部１ａを挟み込み（図３に示す３枚重ね部分Ｙとなる）、その状態で３枚重ね部分Ｙを柄２の上部に設けた両挟持片２２，２２間の縦溝２１内に挿入させて、図３に示すように３枚重ね部分Ｙを両挟持片２２，２２間に強固に固定する。尚、このとき、両挟持片２２，２２を表裏から適宜の締付手段で締め付けることで、該３枚重ね部分Ｙを柄２の基部に強固に固定される。尚、２つの挟持板５，５を連結部４１の折り線４３部分で分離して別体としたものでは、各挟持板５，５の先部板５ｂに連続する連続片部分（図４の符号４１ａ，４１ａ部分）をそれぞれ扇面１の下部中央分割面１２の表裏各面に接着すればよい。
【００６８】
上記３枚重ね部分Ｙ（図３）を柄２の上部に固定した状態では、表裏各側の挟持板５，５は、基部板５ａが連結部４１に対して折り線４３，４３部分で折返し可能であり、且つ先部板５ｂが基部板５ａに対して折り線５２部分で折返し可能となっている。そして、基部板５ａと連結部４１間の各折り線４３，４３部分を外折りした状態で、基部板５ａと先部板５ｂ間の各折り線５２，５２部分を内折りすることで、図３に示すように各挟持板５，５の基部板５ａと先部板５ｂとを２枚重ね状態で折り畳むことができる。このとき、各基部板５ａ，５ａと各先部板５ｂ，５ｂとの間には、それぞれ補強板５０，５０が介在されている。
【００６９】
この状態では、一方（図３の左側）の挟持板５に設けているロック部材６１（このときロック片６４を台座６３と同じ横向きにしている）が、扇面１の挿通穴１７と他方（右側）の挟持板５に設けているロック受材６５の開口６７にそれぞれ挿通可能な位置にある。そして、図３に示すように、ロック部材６１のロック片６４をロック解除姿勢である横向き状態（図３の符号６４’の状態）で、該ロック部材６１（ロック片６４’と台座６３）を扇面１の挿通穴１７とロック受材６５の開口６７に挿入した後、ロック片６４を縦向きのロック姿勢（図３の符号６４の状態）にすることで、両挟持板５，５を離間不能にロックすることができる。このロック状態では、各挟持板５，５の中心付近を相互に近接する側に付勢しており、各挟持板５，５で折り線集中点３より上側にある４本の折り線３１〜３４部分を表裏各側から挟圧している。
【００７０】
このロック手段６による両挟持板５，５のロック状態では、図１〜図３に示すように、うちわとして使用可能な状態となっているが、この使用可能状態での折畳み式柄付きうちわは、次のような機能を有する。
【００７１】
まず、図１〜図３に示す使用可能状態では、各挟持板５，５の先部板５ｂ，５ｂが扇面１の表裏各側から折り線集中点３の周囲を被覆し、且つ各先部板５ｂ，５ｂが扇面１の各折り線（少なくとも上側４本の折り線３１〜３４）を表裏各側から挟圧しているので、各折り線３１〜３６に折り癖がついていても、該各折り線３１〜３６部分がそれぞれ全長に亘って折り曲がるのを阻止できる。従って、柄２を持って扇面１を揺らしても、各折り線３１〜３６が不用意に折れ曲がることがないので、柄付きうちわとして通常の安定状態で使用できる。
【００７２】
又、各側の挟持板５，５は、基部板５ａと先部板５ｂとが２枚重ね状態となっているので、各挟持板５，５全体の撓み強度が１枚の状態より強くなり、扇面１をより一層安定状態で支持できる。
【００７３】
さらに、この実施例の折畳み式柄付きうちわでは、各挟持板５，５の先部板５ｂ，５ｂにそれぞれ補強板５０，５０を固着させていることで、挟持板先部板５ｂ，５ｂが一層撓みにくくなる。従って、各挟持板５，５による扇面１の折り線集中点３付近に対する保持力を一層増強できる。
【００７４】
他方、この折畳み式柄付きうちわは、図１の使用状態（扇面展張状態）から、図９及び図１０の手順を経て図１１及び図１２のように小さく折畳むことができる。即ち、まず、図１の状態からロック手段６のロックを解除した後、両挟持板５，５を図２の符号５’，５’で示すように柄２側に折返すと、図９に示すように扇面１の折り線集中点３部分が開放される。次に、折り線３３及び折り線３６部分を谷折りして図１０の状態とし、続いて図１０の符号３２の折り線を山折りするとともに、符号３１及び符号３４の各折り線をそれぞれ谷折りすると、符号３５の折り線も谷折りされて図１１及び図１２に示す折畳み状態となる。
【００７５】
この図１１及び図１２に示す折畳み状態では、扇面１の各分割面１１〜１６が重合状態で折り重なっており、且つ柄２が扇面１側に折返されて重合しているので、柄付きうちわであっても左右及び上下にコンパクトになる。
【００７６】
又、この折畳み状態では、扇面１の各分割面１１〜１６、補強板５０を含む両挟持板５，５、及び柄２が、図１２に示すように折り重なっていて、厚さ方向に若干のボリュームができるが、この厚さ方向のボリュームは、携帯時にさほど問題にならない。尚、図１１及び図１２に示す折畳み状態で、その外側に輪ゴムを掛けておくと、各部分が不用意に平かないので携帯に便利である。
【符号の説明】
【００７７】
１は扇面、１ａは扇面の下縁中央部、２は柄、２ａは柄基端部、３は折り線集中点、４は挟持板基材、５は挟持板、５ａは挟持板の基部板、５ｂは挟持板の先部板、６はロック手段、１１〜１６は扇面の各分割面、３１〜３６は折り線、５０は補強板、Ｎは扇面の幅中央線である。
【要約】
【課題】扇面に柄を有した柄付きうちわであっても、扇面及び柄部分をコンパクトに折畳めるとともに、使用時に扇面が不安定にならないようにする。
【解決手段】柄付きうちわにおいて、扇面１の下縁寄り位置に設けた折り線集中点３から扇面外周縁に達する６本の折り線３１〜３６を設けて、各折り線で区画された各分割面１１〜１６を相互に重合状態で折畳み得るようにし、扇面１の下部中央分割面１２の表裏各面に折返し自在な挟持板５，５を設け、各挟持板５は基部板５ａと先部板５ｂとを２枚重ね状態で接合させ得るようにし、基部板５ａと先部板５ｂとを２枚重ねにした各挟持板５，５を扇面１の表裏各面に接合させた状態で、各挟持板５，５の各先部板５ｂ，５ｂを離間不能にロックするためのロック手段６を有していることにより、上記課題を解決し得るようにしている。
【選択図】  図３【図１】
0006965415.tif 000002
【図２】
0006965415.tif 000003
【図３】
0006965415.tif 000004
【図４】
0006965415.tif 000005
【図５】
0006965415.tif 000006
【図６】
0006965415.tif 000007
【図７】
0006965415.tif 000008
【図８】
0006965415.tif 000009
【図９】
0006965415.tif 000010
【図１０】
0006965415.tif 000011
【図１１】
0006965415.tif 000012
【図１２】
0006965415.tif 000013
【図１３】
0006965415.tif 000014
【図１４】
0006965415.tif 000015
【図１５】
0006965415.tif 000016